(57)【特許請求の範囲】
【請求項１】
外殻を含み、前記外殻の内部右端には伝動空間が設けられ、前記外殻の中にはさらに第一水入り空間が設けられ、前記第一水入り空間の下側には濾過空間が設けられ、前記伝動空間の中には伝動機構が設けられ、前記第一水入り空間の中には塞ぎを感知でき且つ濾過と排水を加速できる加圧機構が設けられ、前記濾過空間の中には濾過を行う濾過機構が設けられ、前記濾過空間の中にはさらにホコリと油を洗い流せる洗い流し機構が設けられ、
前記加圧機構は前記第一水入り空間の左側に位置する第二水入り空間を含み、前記第二水入り空間の上内壁には下方に開口する隔離板空間が設けられ、前記第一水入り空間の中には従動空間が設けられ、前記隔離板空間の中には前記隔離板空間の中で上下できる隔離板が設けられ、前記隔離板の上面には前記隔離板空間の上内壁と連結された牽引ばねが固定され、前記従動空間の中には前記従動空間の中で上下できるラックが設けられ、前記ラックの上端左面には固定板が固定的に連結され、前記固定板の下面には前記従動空間の下内壁と連結された弾性ばねが固定され、前記ラックの下面には前記第一水入り空間の中で上下できるピストン板が固定され、前記伝動空間の右内壁には駆動軸が回転可能に連結され、前記駆動軸は左端が前記隔離板空間の左内壁に延在し、前記駆動軸の左端には前記隔離板の前面と噛み合った第一扇形歯車が設けられ、前記第一扇形歯車の右端にはさらに前記ラックと噛み合った第二扇形歯車が設けられ、前記駆動軸の右端には前記伝動空間の中に位置する従動歯車が設けられ、前記ピストン板の右端上面には麻縄が固定的に連結され、前記濾過空間の右内壁には左方に開口する移動空間が設けられ、前記移動空間の中には前記移動空間の中で上下できる移動ブロックが設けられ、前記移動空間の下内壁には前記移動ブロックの下面と連結された連結ばねが設けられ、前記移動ブロックの右面には糸縄の一端が固定的に連結され、前記移動ブロックの左面には浮板が固定的に連結され、
前記伝動機構によって動力が提供され、
前記伝動機構は前記伝動空間の右内壁に固定されたモータを含み、前記モータの左端には伝動軸が伝動可能に連結され、前記伝動軸の左端には摺動歯車がキーで連結され、前記摺動歯車の中には左方に開口する摺動空間が設けられ、前記摺動空間の中には前記摺動空間の中で摺動できるスライダが設けられ、前記スライダの左面には前記糸縄の他端が連結され、前記伝動軸の右端には前記摺動歯車の右側に位置する環状板が設けられ、前記環状板の左面には前記摺動歯車の右面と連結された二本の引張ばねが固定され、
前記濾過機構は前記濾過空間の左内壁と右内壁とに設けられた昇降空間を含み、前記昇降空間のいずれも中に昇降ブロックが設けられ、前記昇降ブロックは前記昇降空間の中で上下でき、前記昇降ブロックの下面には前記昇降空間の下内壁と連結された圧縮ばねが設けられ、右側の昇降ブロックの上面に牽引縄が固定的に連結され、二つの前記昇降ブロックは濾過板によって固定的に連結され、前記濾過板は前記濾過空間の中で上下でき、前記伝動空間の下内壁には上方に開口する推動棒空間が設けられ、前記推動棒空間の中には前記推動棒空間の中で上下できる推動棒が設けられ、前記推動棒の下面には前記推動棒空間の下内壁と連結された復位ばねが固定され、前記推動棒の左面には前記牽引縄の他端が固定的に連結され、前記濾過空間の下内壁には排水口が設けられ、前記伝動軸の左端には前記推動棒の上側に位置するカムが設けられ、
前記洗い流し機構は前記濾過空間の右側に位置する集め空間を含み、前記集め空間の左内壁には前記濾過空間と連通する連通穴が設けられ、前記連通穴の中には妨害板空間が設けられ、前記妨害板空間の中には前記妨害板空間の中で上下できる妨害板が設けられ、前記妨害板の上面には前記妨害板空間の上内壁と連結された圧力ばねが固定され、前記妨害板の上面には前記麻縄の一端が連結され、前記集め空間の右内壁には外部と連通する不純物排出口が設けられ、前記濾過空間の左内壁には外部と連通するパイプが設けられ、前記パイプの中には妨害ブロック空間が設けられ、前記妨害ブロック空間の中には前記妨害ブロック空間の中で上下できる妨害ブロックが設けられ、前記妨害ブロックの上面には前記妨害ブロック空間の上内壁と連結された伸縮ばねが固定され、前記妨害ブロックの上面には細縄が固定的に連結され、前記第二水入り空間の下内壁には上方に開口する圧迫ブロック空間が設けられ、前記圧迫ブロック空間の中には前記圧迫ブロック空間の中で上下できる圧迫ブロックが設けられ、前記圧迫ブロックの下面には前記圧迫ブロック空間の下内壁と連結された弾力ばねが固定され、前記圧迫ブロックの左面には前記細縄の一端が固定的に連結され、前記第二水入り空間の左内壁には外部と連通する水入り口が設けられていることを特徴とする発動機の洗浄汚水に対する処理装置。
【請求項２】
はじめに、前記浮板と前記移動ブロックとは前記移動空間の内部下端に位置することを特徴とする請求項１に記載の発動機の洗浄汚水に対する処理装置。
【請求項３】
はじめに、前記摺動歯車は前記従動歯車と連結されておらず、前記引張ばねが持つ牽引力は、前記摺動歯車が前記伝動軸で摺動するときに受けた摩擦力より強いことを特徴とする請求項１に記載の発動機の洗浄汚水に対する処理装置。
【請求項４】
はじめに、前記隔離板と前記ラックとはそれぞれ前記牽引ばねと前記弾性ばねとの牽引力により、それぞれ前記隔離板空間と前記従動空間の中に位置することを特徴とする請求項１に記載の発動機の洗浄汚水に対する処理装置。
【発明の詳細な説明】
【技術分野】
【０００１】
本願発明は洗浄分野を取り上げ、特に発動機の洗浄汚水に対する処理装置に関わる。
【背景技術】
【０００２】
発動機は長時間の使用を経て、数多くのホコリと油が残され、よって定期的に発動機を洗浄する必要がある。しかし、発動機を洗浄した後に、残った汚水にホコリと油が残され、そのまま排出すると、汚染をもたらし。よって排出する前に、処理を行う必要がある。
現段階において、発動機を洗浄した後に、残った汚水は基本的にそのまま下水道に排出され、再利用できず、水汚染などの環境汚染をもたらしてしまう。
【先行技術文献】
【特許文献】
【０００３】
【特許文献１】中国特許出願公開第１０２７４４２３１号明細書
【発明の概要】
【発明が解決しようとする課題】
【０００４】
発動機の洗浄汚水に対する処理装置を提供し、濾過効率の悪さや濾過装置の塞ぎなどの問題を解消し、濾過効率を上げ、塞ぎ物を処理可能にすることを目的とする。
【課題を解決するための手段】
【０００５】
本願発明は以下の技術的解決策で実現される。
【０００６】
本願に記載の発動機の洗浄汚水に対する処理装置は、外殻を含み、前記外殻の内部右端には伝動空間が設けられ、前記外殻の中にはさらに第一水入り空間が設けられ、前記第一水入り空間の下側には濾過空間が設けられ、前記伝動空間の中には伝動機構が設けられ、前記第一水入り空間の中には塞ぎを感知でき且つ濾過と排水を加速できる加圧機構が設けられ、前記濾過空間の中には濾過を行う濾過機構が設けられ、前記濾過空間の中にはさらにホコリと油を洗い流せる洗い流し機構が設けられ、
前記加圧機構は前記第一水入り空間の左側に位置する第二水入り空間を含み、前記第二水入り空間の上内壁には下方に開口する隔離板空間が設けられ、前記第一水入り空間の中には従動空間が設けられ、前記隔離板空間の中には前記隔離板空間の中で上下できる隔離板が設けられ、前記隔離板の上面には前記隔離板空間の上内壁と連結された牽引ばねが固定され、前記従動空間の中には前記従動空間の中で上下できるラックが設けられ、前記ラックの上端左面には固定板が固定的に連結され、前記固定板の下面には前記従動空間の下内壁と連結された弾性ばねが固定され、前記ラックの下面には前記第一水入り空間の中で上下できるピストン板が固定され、前記伝動空間の右内壁には駆動軸が回転可能に連結され、前記駆動軸は左端が前記隔離板空間の左内壁に延在し、前記駆動軸の左端には前記隔離板の前面と噛み合った第一扇形歯車が設けられ、前記第一扇形歯車の右端にはさらに前記ラックと噛み合った第二扇形歯車が設けられ、前記駆動軸の右端には前記伝動空間の中に位置する従動歯車が設けられ、前記ピストン板の右端上面には麻縄が固定的に連結され、前記濾過空間の右内壁には左方に開口する移動空間が設けられ、前記移動空間の中には前記移動空間の中で上下できる移動ブロックが設けられ、前記移動空間の下内壁には前記移動ブロックの下面と連結された連結ばねが設けられ、前記移動ブロックの右面には糸縄の一端が固定的に連結され、前記移動ブロックの左面には浮板が固定的に連結され、
前記伝動機構によって動力が提供される。
【０００７】
さらに、前記伝動機構は前記伝動空間の右内壁に固定されたモータを含み、前記モータの左端には伝動軸が伝動可能に連結され、前記伝動軸の左端には摺動歯車がキーで連結され、前記摺動歯車の中には左方に開口する摺動空間が設けられ、前記摺動空間の中には前記摺動空間の中で摺動できるスライダが設けられ、前記スライダの左面には前記糸縄の他端が連結され、前記伝動軸の右端には前記摺動歯車の右側に位置する環状板が設けられ、前記環状板の左面には前記摺動歯車の右面と連結された二本の引張ばねが固定されている。
【０００８】
さらに、前記濾過機構は前記濾過空間の左内壁と右内壁とに設けられた昇降空間を含み、前記昇降空間のいずれも中に昇降ブロックが設けられ、前記昇降ブロックは前記昇降空間の中で上下でき、前記昇降ブロックの下面には前記昇降空間の下内壁と連結された圧縮ばねが設けられ、右側の昇降ブロックの上面に牽引縄が固定的に連結され、二つの前記昇降ブロックは濾過板によって固定的に連結され、前記濾過板は前記濾過空間の中で上下でき、前記伝動空間の下内壁には上方に開口する推動棒空間が設けられ、前記推動棒空間の中には前記推動棒空間の中で上下できる推動棒が設けられ、前記推動棒の下面には前記推動棒空間の下内壁と連結された復位ばねが固定され、前記推動棒の左面には前記牽引縄の他端が固定的に連結され、前記濾過空間の下内壁には排水口が設けられ、前記伝動軸の左端には前記推動棒の上側に位置するカムが設けられている。
【０００９】
さらに、前記洗い流し機構は前記濾過空間の右側に位置する集め空間を含み、前記集め空間の左内壁には前記濾過空間と連通する連通穴が設けられ、前記連通穴の中には妨害板空間が設けられ、前記妨害板空間の中には前記妨害板空間の中で上下できる妨害板が設けられ、前記妨害板の上面には前記妨害板空間の上内壁と連結された圧力ばねが固定され、前記妨害板の上面には前記麻縄の一端が連結され、前記集め空間の右内壁には外部と連通する不純物排出口が設けられ、前記濾過空間の左内壁には外部と連通するパイプが設けられ、前記パイプの中には妨害ブロック空間が設けられ、前記妨害ブロック空間の中には前記妨害ブロック空間の中で上下できる妨害ブロックが設けられ、前記妨害ブロックの上面には前記妨害ブロック空間の上内壁と連結された伸縮ばねが固定され、前記妨害ブロックの上面には細縄が固定的に連結され、前記第二水入り空間の下内壁には上方に開口する圧迫ブロック空間が設けられ、前記圧迫ブロック空間の中には前記圧迫ブロック空間の中で上下できる圧迫ブロックが設けられ、前記圧迫ブロックの下面には前記圧迫ブロック空間の下内壁と連結された弾力ばねが固定され、前記圧迫ブロックの左面には前記細縄の一端が固定的に連結され、前記第二水入り空間の左内壁には外部と連通する水入り口が設けられている。
【００１０】
さらに、はじめに、前記浮板と前記移動ブロックとは前記移動空間の内部下端に位置する。
【００１１】
さらに、はじめに、前記摺動歯車は前記従動歯車と連結されておらず、前記引張ばねが持つ牽引力は、前記摺動歯車が前記伝動軸で摺動するときに受けた摩擦力より強い。
【００１２】
さらに、はじめに、前記隔離板と前記ラックとはそれぞれ前記牽引ばねと前記弾性ばねとの牽引力により、それぞれ前記隔離板空間と前記従動空間の中に位置する。
【発明の効果】
【００１３】
本発明は以下のプラス効果を有する：本願発明はシンプルな構成と簡単な操作方法を有し、作業時に、高効率且つ継続的に発動機の洗浄汚水に振動濾過を行い、また、除去機能も有し、汚水処理時に濾過板が塞がられた場合に、本願発明は自動的に感知して濾過板を処理し、さらに塞ぎ物を集められる。
【図面の簡単な説明】
【００１４】
下記に図１〜４を合わせて本発明について詳しく説明し、便利に説明するために、本願に記載の各方向を以下のように規定する：図１は本願発明の正面図であり、本願に記載の各方向は、図１における観察方向に基づくものである。
【００１５】
【図１】図１は本願発明の構成略図
【図２】図２は図１におけるＡ部の構成略図
【図３】図３は図１におけるＢ部の構成略図
【図４】図４は本願発明における第一扇形歯車の全断面の正面構成略図
【発明を実施するための形態】
【００１６】
図１〜図４を参照し、本願に記載の発動機の洗浄汚水に対する処理装置は、外殻１８を含み、前記外殻１８の内部右端には伝動空間４８が設けられ、前記外殻１８の中にはさらに第一水入り空間３４が設けられ、前記第一水入り空間３４の下側には濾過空間１６が設けられ、前記伝動空間４８の中には伝動機構５３が設けられ、前記第一水入り空間３４の中には塞ぎを感知でき且つ濾過と排水を加速できる加圧機構３５が設けられ、前記濾過空間１６の中には濾過を行う濾過機構１１が設けられ、前記濾過空間１６の中にはさらにホコリと油を洗い流せる洗い流し機構２５が設けられ、前記加圧機構３５は前記第一水入り空間３４の左側に位置する第二水入り空間３３を含み、前記第二水入り空間３３の上内壁には下方に開口する隔離板空間３９が設けられ、前記第一水入り空間３４の中には従動空間４０が設けられ、前記隔離板空間３９の中には前記隔離板空間３９の中で上下できる隔離板３７が設けられ、前記隔離板３７の上面には前記隔離板空間３９の上内壁と連結された牽引ばね３８が固定され、前記従動空間４０の中には前記従動空間４０の中で上下できるラック４３が設けられ、前記ラック４３の上端左面には固定板４２が固定的に連結され、前記固定板４２の下面には前記従動空間４０の下内壁と連結された弾性ばね４１が固定され、前記ラック４３の下面には前記第一水入り空間３４の中で上下できるピストン板４５が固定され、前記伝動空間４８の右内壁には駆動軸４７が回転可能に連結され、前記駆動軸４７は左端が前記隔離板空間３９の左内壁に延在し、前記駆動軸４７の左端には前記隔離板３７の前面と噛み合った第一扇形歯車３６が設けられ、前記第一扇形歯車３６の右端にはさらに前記ラック４３と噛み合った第二扇形歯車４４が設けられ、前記駆動軸４７の右端には前記伝動空間４８の中に位置する従動歯車４６が設けられ、前記ピストン板４５の右端上面には麻縄７３が固定的に連結され、前記濾過空間１６の右内壁には左方に開口する移動空間５６が設けられ、前記移動空間５６の中には前記移動空間５６の中で上下できる移動ブロック５７が設けられ、前記移動空間５６の下内壁には前記移動ブロック５７の下面と連結された連結ばね１３が設けられ、前記移動ブロック５７の右面には糸縄５８の一端が固定的に連結され、前記移動ブロック５７の左面には浮板１４が固定的に連結され、
前記伝動機構５３によって動力が提供される。
【００１７】
好ましくは、前記伝動機構５３は前記伝動空間４８の右内壁に固定されたモータ５２を含み、前記モータ５２の左端には伝動軸６６が伝動可能に連結され、前記伝動軸６６の左端には摺動歯車６８がキーで連結され、前記摺動歯車６８の中には左方に開口する摺動空間６７が設けられ、前記摺動空間６７の中には前記摺動空間６７の中で摺動できるスライダ６４が設けられ、前記スライダ６４の左面には前記糸縄５８の他端が連結され、前記伝動軸６６の右端には前記摺動歯車６８の右側に位置する環状板７０が設けられ、前記環状板７０の左面には前記摺動歯車６８の右面と連結された二本の引張ばね６９が固定されている。
【００１８】
好ましくは、前記濾過機構１１は前記濾過空間１６の左内壁と右内壁とに設けられた昇降空間２０を含み、前記昇降空間２０のいずれも中に昇降ブロック２１が設けられ、前記昇降ブロック２１は前記昇降空間２０の中で上下でき、前記昇降ブロック２１の下面には前記昇降空間２０の下内壁と連結された圧縮ばね１９が設けられ、右側の昇降ブロック２１の上面に牽引縄１２が固定的に連結され、二つの前記昇降ブロック２１は濾過板１７によって固定的に連結され、前記濾過板１７は前記濾過空間１６の中で上下でき、前記伝動空間４８の下内壁には上方に開口する推動棒空間５１が設けられ、前記推動棒空間５１の中には前記推動棒空間５１の中で上下できる推動棒５０が設けられ、前記推動棒５０の下面には前記推動棒空間５１の下内壁と連結された復位ばね５５が固定され、前記推動棒５０の左面には前記牽引縄１２の他端が固定的に連結され、前記濾過空間１６の下内壁には排水口１５が設けられ、前記伝動軸６６の左端には前記推動棒５０の上側に位置するカム４９が設けられている。
【００１９】
好ましくは、前記洗い流し機構２５は前記濾過空間１６の右側に位置する集め空間１０を含み、前記集め空間１０の左内壁には前記濾過空間１６と連通する連通穴６５が設けられ、前記連通穴６５の中には妨害板空間５９が設けられ、前記妨害板空間５９の中には前記妨害板空間５９の中で上下できる妨害板６３が設けられ、前記妨害板６３の上面には前記妨害板空間５９の上内壁と連結された圧力ばね６２が固定され、前記妨害板６３の上面には前記麻縄７３の一端が連結され、前記集め空間１０の右内壁には外部と連通する不純物排出口６０が設けられ、前記濾過空間１６の左内壁には外部と連通するパイプ２４が設けられ、前記パイプ２４の中には妨害ブロック空間２３が設けられ、前記妨害ブロック空間２３の中には前記妨害ブロック空間２３の中で上下できる妨害ブロック２２が設けられ、前記妨害ブロック２２の上面には前記妨害ブロック空間２３の上内壁と連結された伸縮ばね２６が固定され、前記妨害ブロック２２の上面には細縄２７が固定的に連結され、前記第二水入り空間３３の下内壁には上方に開口する圧迫ブロック空間２８が設けられ、前記圧迫ブロック空間２８の中には前記圧迫ブロック空間２８の中で上下できる圧迫ブロック３２が設けられ、前記圧迫ブロック３２の下面には前記圧迫ブロック空間２８の下内壁と連結された弾力ばね３０が固定され、前記圧迫ブロック３２の左面には前記細縄２７の一端が固定的に連結され、前記第二水入り空間３３の左内壁には外部と連通する水入り口２９が設けられている。  
【００２０】
好ましくは、はじめに、前記浮板１４と前記移動ブロック５７とは前記移動空間５６の内部下端に位置する。
【００２１】
好ましくは、はじめに、前記摺動歯車６８は前記従動歯車４６と連結されておらず、前記引張ばね６９が持つ牽引力は、前記摺動歯車６８が前記伝動軸６６で摺動するときに受けた摩擦力より強い。
【００２２】
好ましくは、はじめに、前記隔離板３７と前記ラック４３とはそれぞれ前記牽引ばね３８と前記弾性ばね４１との牽引力により、それぞれ前記隔離板空間３９と前記従動空間４０の中に位置する。
【００２３】
本願発明の作動手順は以下の通りである。
【００２４】
１、発動機を洗浄した後の汚水は水入り口２９により第二水入り空間３３に入り、やがて第一水入り空間３４を経由して濾過空間１６に入り、そして濾過板１７に濾過され、ホコリと油は濾過板１７の上面に残され、対して濾過を経った水は排水口１５から排水される。
【００２５】
２、モータ５２を起動し、モータ５２の作動により伝動軸６６は回転し、摺動歯車６８とカム４９とを駆動して回転させ、カム４９は突起部が推動棒５０と当接するまで回転したとき、推動棒５０は押されて下方へ運動し、牽引縄１２を引き締め、そして二つの昇降ブロック２１及び濾過板１７は引かれて上昇し、また、カム４９は突起部が推動棒５０と当接しなくなるまで回転したとき、推動棒５０が復位ばね５５により上昇し、牽引縄１２は緩くなり、二つの昇降ブロック２１及び濾過板１７とは二本の圧縮ばね１９により降下し、このように往復運動することで、振動効果を果たし、濾過板１７が水に対する濾過作業を加速する。
【００２６】
３、ホコリと油が濾過板１７で多く堆積すると、濾過板１７が水に対する濾過効率は下がり、水は濾過空間１６の中で積もり、浮板１４は水の浮力により上昇し、移動ブロック５７をつれて上昇し、そして糸縄５８は引き締まり、摺動歯車６８は糸縄５８の牽引により左方へ従動歯車４６と噛み合い、そして従動歯車４６は駆動されて回転し、第二扇形歯車４４と第一扇形歯車３６とを回転させ、噛み合いにより、ラック４３と隔離板３７とは連動して降下し、第一水入り空間３４は隔離板３７の降下により閉鎖されて密封空間を形成し、ここで水入り口２９に水を入れることを止め、ピストン板４５はラック４３の降下により降下し、第一水入り空間３４の中の水を圧迫し、第一扇形歯車３６と第二扇形歯車４４とは歯なし部がそれぞれ隔離板３７及びラック４３との噛み合いから離脱するまで回転したとき、ラック４３と隔離板３７とはそれぞれ弾性ばね４１と牽引ばね３８との牽引により上昇し、このように往復運動することで、濾過空間１６の中のホコリと油を攪拌して水位を降下させ、水位が降下した後に、浮板１４と移動ブロック５７とは連結ばね１３により上昇し復位する。
【００２７】
４、ピストン板４５の降下につれて麻縄７３は段々引き締まり、隔離板３７が降下して圧迫ブロック３２を圧迫するときに、麻縄７３はちょうど完全に引き締まり、妨害板６３は麻縄７３の牽引により上昇し、集め空間１０と濾過空間１６とは連通穴６５によって連通し、また、隔離板３７が降下して圧迫ブロック３２を圧迫するときに、圧迫ブロック３２は降下して細縄２７を引き締め、妨害ブロック２２は細縄２７に引かれて上昇し、パイプ２４が連通し、そしてパイプ２４の中の水は濾過板１７にある塞ぎ物を連通穴６５から集め空間１０の中に流し込む。
【００２８】
５、濾過板１７にある塞ぎ物を除去した後に、濾過空間１６の中の水位が下がり、浮板１４と移動ブロック５７とは連結ばね１３により降下し、摺動歯車６８は糸縄５８の牽引をなくし、引張ばね６９の牽引により右方へ従動歯車４６と離脱して復位し、ここで従動歯車４６は回転を止め、従動軸４７と、第一扇形歯車３６と、第二扇形歯車４４とも回転を止め、隔離板３７とラック４３とはそれぞれ牽引ばね３８と弾性ばね４１により上昇し復位する。
【００２９】
上記実施例は当該分野に携わる従業員が本願発明の内容を理解し実施できるように、本願発明の技術的考案と特徴を説明するものに過ぎなく、上記内容を持って本願発明の保護範囲を制限することはできない。本願発明の考案に基づき、行われた等価変換や改変もまた、本願発明の保護範囲に含まれるべき。
【要約】
【課題】本願は発動機の洗浄汚水に対する処理装置を開示した。
【解決手段】
本願に記載の発動機の洗浄汚水に対する処理装置は、外殻を含み、前記外殻の内部右端には伝動空間が設けられ、前記外殻の中にはさらに第一水入り空間が設けられ、前記第一水入り空間の下側には濾過空間が設けられ、前記伝動空間の中には本願発明に動力を提供できる伝動機構が設けられ、前記第一水入り空間の中には塞ぎを感知でき且つ濾過と排水を加速できる加圧機構が設けられ、前記濾過空間の中には濾過を行う濾過機構が設けられ、前記濾過空間の中にはさらにホコリと油を洗い流せる洗い流し機構が設けられ、前記加圧機構は前記第一水入り空間の右側に位置する第二水入り空間を含み、前記第二水入り空間の上内壁には下方に開口する隔離板空間が設けられる。
【選択図】図１【図１】
0006813741.tif 000002
【図２】
0006813741.tif 000003
【図３】
0006813741.tif 000004
【図４】
0006813741.tif 000005